(57)【要約】      （修正有）【課題】架線支持装置の絶縁劣化を防止することができるとともにメンテナンスコストを削減することができる架線支持装置の防食構造を提供する。【解決手段】防食構造１１は、架線を支持する架線支持装置３の腐食を防止する。水切り部１１ａは、保護カバー６の表面にこの保護カバー６と一体に、この保護カバー６の両端部の全周に凸状に形成されている。保護カバー６は、水平支柱５の外径に応じて所定の長さ（例えば、水平支柱５の外周と略同じ長さ）に切断されて、水平支柱５の表面に巻き付けられて装着される。架線金具９の表面に生成される腐食生成物Ｃが雨水やトンネル漏水によって保護カバー６に流れ出すと、この腐食生成物Ｃが水切り部１１ａから下方に滴下し、保護カバー６から水平支柱５に腐食生成物Ｃが流れ出すのを水切り部１１ａが阻止する。【選択図】図３
2014189210.tif 000002
【特許請求の範囲】
【請求項１】
架線を支持する架線支持装置の腐食を防止する架線支持装置の防食構造であって、
前記架線支持装置の表面を流れる腐食生成物をこの架線支持装置の表面から下方に導く水切り部を備えること、
を特徴とする架線支持装置の防食構造。
【請求項２】
請求項１に記載の架線支持装置の防食構造において、
前記架線支持装置は、この架線支持装置の水平支柱に取り付けられる架線金具とこの水平支柱との間に装着されて、この水平支柱の表面を保護する保護カバーを備え、
前記水切り部は、前記保護カバーの表面に形成されていること、
を特徴とする架線支持装置の防食構造。
【請求項３】
請求項２に記載の架線支持装置の防食構造において、
前記保護カバーは、前記水平支柱の表面に巻き付けられて装着されること、
を特徴とする架線支持装置の防食構造。
【請求項４】
請求項２に記載の架線支持装置の防食構造において、
前記保護カバーは、前記水平支柱の表面と嵌合して装着されること、
を特徴とする架線支持装置の防食構造。
【請求項５】
請求項２から請求項４までのいずれか１項に記載の架線支持装置の防食構造において、
前記保護カバーは、フッ素樹脂製であること、
を特徴とする架線支持装置の防食構造。
【請求項６】
請求項２から請求項５までのいずれか１項に記載の架線支持装置の防食構造において、
前記水切り部は、前記保護カバーの両端部の全周に凸状及び／又は凹状に形成されていること、
を特徴とする架線支持装置の防食構造。
【発明の詳細な説明】
【技術分野】
【０００１】
この発明は、架線を支持する架線支持装置の腐食を防止する架線支持装置の防食構造に関する。
【背景技術】
【０００２】
従来の架線支持装置は、架線のトロリ線を支持するアームと、トロリ線をアームに把持させるイヤーと、アームを垂直面内で上下方向に回転可能に支持する支持金具と、支柱などの構造物に支持されている絶縁水平パイプにこの支持金具を連結する架線金具（パイプバンド）などを備えている（例えば、特許文献１参照）。このような従来の架線支持装置では、絶縁水平パイプに対して架線金具の位置を微調整可能なように、この絶縁水平パイプの外周面と架線金具の内周面との間にフッ素樹脂製シートの保護カバーが取り付けられている。
【０００３】
従来の架線支持装置１０３は、図１０に示すように、絶縁水平パイプ１０５の外周面の架線金具１０９を装着する位置に、この絶縁水平パイプ１０５と架線金具１０９との間に挟み込むように保護カバー１０６を装着している。従来の架線支持装置１０３は、図１１に示すように、絶縁水平パイプ１０５の外周よりも僅かに短い長さに切断したフッ素樹脂製シート１０６ａを巻き付けて、この絶縁水平パイプ１０５の外周面に保護カバー１０６を装着している。
【先行技術文献】
【特許文献】
【０００４】
【特許文献１】特開2005-008042号公報
【発明の概要】
【発明が解決しようとする課題】
【０００５】
従来の架線支持装置は、環境による腐食因子及び車輪とレールとの間の摩擦による摩耗粉などによる汚損により腐食が進行する。このよう従来の架線支持装置では、汚損により腐食が進行し、雨水やトンネル漏水により腐食生成物が流れ出して、正常な金属製の金具類が腐食する。絶縁物においては、汚損物質が付着して絶縁抵抗が低下する。特に絶縁水平パイプにおいては、金具間に電流が流れやすくなる問題点がある。
【０００６】
この発明の課題は、架線支持装置の絶縁劣化を防止することができるとともにメンテナンスコストを削減することができる架線支持装置の防食構造を提供することである。
【課題を解決するための手段】
【０００７】
この発明は、以下に記載するような解決手段により、前記課題を解決する。
なお、この発明の実施形態に対応する符号を付して説明するが、この実施形態に限定するものではない。
請求項１の発明は、図１〜図９に示すように、架線（２）を支持する架線支持装置（３）の腐食を防止する架線支持装置の防食構造であって、前記架線支持装置の表面を流れる腐食生成物（Ｃ）をこの架線支持装置の表面から下方に導く水切り部（１１ａ）を備えることを特徴とする架線支持装置の防食構造（１１）である。
【０００８】
請求項２の発明は、請求項１に記載の架線支持装置の防食構造において、前記架線支持装置は、この架線支持装置の水平支柱（５）に取り付けられる架線金具（９）とこの水平支柱との間に装着されて、この水平支柱の表面を保護する保護カバー（６）を備え、前記水切り部は、前記保護カバーの表面に形成されていることを特徴とする架線支持装置の防食構造である。
【０００９】
請求項３の発明は、請求項２に記載の架線支持装置の防食構造において、図４に示すように、前記保護カバーは、前記水平支柱の表面に巻き付けられて装着されることを特徴とする架線支持装置の防食構造である。
【００１０】
請求項４の発明は、請求項２に記載の架線支持装置の防食構造において、図５に示すように、前記保護カバーは、前記水平支柱の表面と嵌合して装着されることを特徴とする架線支持装置の防食構造である。
【００１１】
請求項５の発明は、請求項２から請求項４までのいずれか１項に記載の架線支持装置の防食構造において、前記保護カバーは、フッ素樹脂製であることを特徴とする架線支持装置の防食構造である。
【００１２】
請求項６の発明は、請求項２から請求項５までのいずれか１項に記載の架線支持装置の防食構造において、前記水切り部は、前記保護カバーの両端部の全周に凸状及び／又は凹状に形成されていることを特徴とする架線支持装置の防食構造である。
【発明の効果】
【００１３】
この発明によると、架線支持装置の絶縁劣化を防止することができるとともにメンテナンスコストを削減することができる。
【図面の簡単な説明】
【００１４】
【図１】この発明の第１実施形態に係る架線支持装置の防食構造を備える架線支持装置の使用状態を一例として示す概略図である。
【図２】この発明の第１実施形態に係る架線支持装置の防食構造を備える架線支持装置の架線金具の外観図であり、（Ａ）は正面図であり、（Ｂ）は平面図であり、（Ｃ）は左側面図であり、（Ｄ）は背面図である。
【図３】この発明の第１実施形態に係る架線支持装置の防食構造を備える保護カバーを水平支柱に取り付けた状態を示す側面図である。
【図４】この発明の第１実施形態に係る架線支持装置の防食構造を備える保護カバーの斜視図である。
【図５】この発明の第２実施形態に係る架線支持装置の防食構造を備える保護カバーの斜視図である。
【図６】この発明の第３実施形態に係る架線支持装置の防食構造を備える保護カバーを水平支柱に取り付けた状態を示す側面図である。
【図７】この発明の第４実施形態に係る架線支持装置の防食構造を備える保護カバーを水平支柱に取り付けた状態を示す側面図である。
【図８】この発明の第５実施形態に係る架線支持装置の防食構造を備える保護カバーを水平支柱に取り付けた状態を示す側面図であり、（Ａ）は水切り部が鋭角な凸状である場合の側面図であり、（Ｂ）は水切り部が鋭角な凹状のである場合の側面図であり、（Ｃ）は水切り部が鋭角な凸状及び凹状である場合の側面図である。
【図９】この発明の第６実施形態に係る架線支持装置の防食構造を備える保護カバーを水平支柱に取り付けた状態を示す側面図であり、（Ａ）〜（Ｃ）は保護カバーの取付手順を概略的に示す側面図である。
【図１０】従来の架線支持装置の絶縁水平パイプに保護カバーを装着した状態を概略的に示す平面図である。
【図１１】従来の架線支持装置の絶縁水平パイプから保護カバーを展開した状態を概略的に示す平面図である。
【発明を実施するための形態】
【００１５】
（第１実施形態）
以下、図面を参照して、この発明の第１実施形態について詳しく説明する。
図１に示すトンネル１は、山腹などの地中を貫通して列車を通過させるための固定構造物（土木構造物）である。図１に示すトンネル１は、列車が走行する線路を一つの固定構造物内に収容する単線用の鉄道トンネル（単線トンネル）である。トンネル１は、このトンネル１の上半分を形成する半円状のアーチ部１ａなどを備えている。
【００１６】
架線２は、線路上空に設置される架空電車線である。架線２は、電気機関車又は電車などの電気車の集電装置（パンタグラフ）のすり板が摺動することによってこの電気車に負荷電流を供給するトロリ線２ａと、このトロリ線２ａの重量による弛み（弛度）が小さくなるようにこのトロリ線２ａを支持するちょう架線２ｂと、き電用変電所からトロリ線２ａに電力を供給するき電線２ｃなどを備えている。
【００１７】
架線支持装置３は、架線２を支持する装置である。図１に示す架線支持装置３は、トンネル１のアーチ部１ａに取り付けられておりこのトンネル１内で架線２を支持するトンネル内電車線支持装置である。架線支持装置３は、曲線引金具４と、水平支柱５と、保護カバー６と、がいし７と、支持金具８Ａ，８Ｂと、架線金具９などを備えている。
【００１８】
曲線引金具４は、架線２のトロリ線２ａを正規の位置に保持する部材であり、トロリ線２ａの上部を把持するイヤーなどを先端部で支持している。水平支柱５は、架線２及び曲線引金具４を支持する部材である。水平支柱５は、例えば、表面が絶縁処理された絶縁水平主材（絶縁水平パイプ）であり、芯材の表面を繊維強化プラスチック(FRP)によって被覆した被覆管又は一般構造用炭素鋼鋼管などである。
【００１９】
図１〜図４に示す保護カバー６は、水平支柱５の表面を保護する部材である。保護カバー６は、図１及び図２に示すように、水平支柱５に取り付けられる架線金具９とこの水平支柱５との間に装着されている。保護カバー６は、図４に示すように、例えば、低摩擦性、電気絶縁性及び撥水性を有するポリテトラフルオロエチレンなどのフッ素樹脂製のシート状部材（帯状部材）である。保護カバー６は、図１及び図２に示す水平支柱５の表面の絶縁処理層及び架線金具９の表面の防食処理層が傷つくのを防止しこれらの表面を保護する保護材として機能する。保護カバー６は、例えば、図１に示すように、がいし７の金具部７ｃに水平支柱５が支持される箇所と、支持金具８Ａ，８Ｂをこの水平支柱５が支持する箇所とに対応して、この水平支柱５の表面に巻き付けられて装着されている。保護カバー６は、図１及び図２に示すように、水平支柱５と架線金具９との間に装着されたときに、この保護カバー６の位置を長さ方向に微調整可能なように、架線金具９の両端部よりも2〜3mm程度突出する長さに形成されている。保護カバー６は、図４に示すように、未装着の展開状態ではシート状に形成されており、フッ素樹脂製シートの両縁部が予め凸状に形成されている。保護カバー６は、水平支柱５の外径に応じて所定の長さ（例えば、水平支柱５の外周と略同じ長さ）に切断されて、水平支柱５の表面に巻き付けられて装着される。保護カバー６は、架線金具９によって締め付けられたときに僅かに径方向に圧縮し、架線金具９との密着性が向上する程度の厚さで形成されている。
【００２０】
図１に示すがいし７は、電気導体を絶縁して支持する部材である。がいし７は、トンネル１によって架線２を支持するときにこのトンネル１と架線２との間を電気的に絶縁する絶縁体である。図１に示すがいし７は、水平支柱５をトンネル１によって支持するときに使用される絶縁用の電車線路用がいしの一種である支持がいしである。がいし７は、硬質な磁器製の絶縁体の表面に釉薬を施して形成された本体部（磁器部）７ａと、この本体部７ａの頭部外面に接合されて支持物に連結される金具部（キャップ金具）７ｂと、本体部７ａの頭部内面に接合されて支持物に連結される金具部（ピン金具）７ｃと、金具部７ｂと金具部７ｃとを連結するベース金具部７ｄなどを備えている。
【００２１】
支持金具８Ａは、曲線引金具４を支持する金具であり、支持金具８Ｂは架線２のちょう架線２ｂ及びき電線２ｃを支持する金具である。支持金具８Ａは、トロリ線２ａを把持する側とは反対側の曲線引金具４の端部（上端部）を上下方向に揺動自在に支持するアーム支持金具であり、上端部が架線金具９に固定されており、下端部が曲線引金具４に連結されている。支持金具８Ｂは、ちょう架線２ｂ及びき電線２ｃを保持するき電／ちょう架線支持金具であり、ちょう架線２ｂ及びき電線２ｃの外周面との間に間隙部が形成されるように、ちょう架線２ｂ及びき電線２ｃを支持する。支持金具８Ａ，８Ｂは、例えば、一般構造用圧延鋼材などであり、表面に溶融亜鉛めっき層などの金属めっき層が形成されている。
【００２２】
図１及び図２に示す架線金具９は、電車線路に使用される種々の金具である。架線金具９は、金具表面が防食処理されている耐食性電車線金具であり、電路設備として使用される場合には、直流電圧では1500V、交流電圧では20〜25kVの高電圧下で使用される。架線金具９は、図１に示すように、支持金具８Ａ，８Ｂなどを水平支柱５に取り付けるためのパイプバンド類などの電車線金具であり架線支持装置３の一部を構成し、図２に示すように分離可能な２ピース構造である。架線金具９は、図２に示すように、挟持片９ａ，９ｂと挿入孔９ｃ，９ｄなどを備えている。架線金具９は、挟持片９ａ，９ｂの全面及び挿入孔９ｃ、９ｄの内周面に溶融亜鉛めっき層などの金属めっき層が形成されている。
【００２３】
図２に示す挟持片９ａ，９ｂは、水平支柱５に着脱自在に装着可能な分割構造を有し、この水平支柱５を挟み込む部材である。挟持片９ａ，９ｂは、いずれも略同一構造であり、外観が略長方形状の板状部材であり、断面が略Ｕ字状に形成されている。挟持片９ａ，９ｂは、例えば、一般構造用圧延鋼材などであり、長さ方向の中央部が水平支柱５の外周面に沿って外側に湾曲している。挟持片９ａ，９ｂには、図１に示すがいし７の金具部７ｂ及び支持金具８Ａ，８Ｂが外側表面に溶接などによって固定されている。挿入孔９ｃ，９ｄは、連結部材１０の締結ボルト１０ａを挿入する部分である。挿入孔９ｃは、挟持片９ａの一方の端部寄りと他方の端部寄りにそれぞれ等間隔で２つ形成されている四角形状の貫通孔（角孔）である。一方、挿入孔９ｄは、挟持片９ｂの一方の端部寄りと他方の端部寄りに挿入孔９ｃと対向する位置にそれぞれ等間隔で２つ形成されている円形状の貫通孔（丸孔）である。架線金具９は、図２に示す連結部材１０などを備えている。
【００２４】
図２に示す連結部材１０は、架線金具９の挟持片９ａと挟持片９ｂとを着脱自在に連結する部材である。連結部材１０は、図２に示すように、締結ボルト１０ａと、ナット１０ｂ，１０ｃと、割りピン１０ｄと、座金１０ｅなどを備えている。締結ボルト１０ａは、挟持片９ａと挟持片９ｂとを分離可能に締結する部材である。締結ボルト１０ａは、水平支柱５及び保護カバー６を挟持片９ａと挟持片９ｂとの間に挟み込んだ状態で、挟持片９ａ，９ｂに装着される。締結ボルト１０ａは、例えば、挿入孔９ｃと嵌合する断面形状が四角形の角部１０ｆと、挿入孔９ｄに挿入される雄ねじ部１０ｇと、この雄ねじ部１０ｇを貫通する貫通孔１０ｈとを有するステンレス製の角根丸頭ボルトである。ナット１０ｂ，１０ｃは、締結ボルト１０ａの雄ねじ部１０ｇに装着される部材である。割りピン１０ｄは、ナット１０ｂ，１０ｃの脱落を防止する部材であり、締結ボルト１０ａの雄ねじ部１０ｇの貫通孔１０ｈに差し込まれる。座金１０ｅは、ナット１０ｂと挟持片９ｂとの間に挿入される部材である。座金１０ｅは、締結ボルト１０ａに対してナット１０ｂを回転させたときに、ナット１０ｂのナット底面の角部が挟持片９ａ，９ｂの表面の塗膜に当たりこの塗膜が傷つくのを防止する。
【００２５】
図１〜図４に示す防食構造１１は、架線２を支持する架線支持装置３の腐食を防止する構造である。防食構造１１は、図３に示すように、架線支持装置３の架線金具９が汚損によりこの架線金具９の腐食が進行して、雨水又はトンネル漏水によってこの架線金具９から流れ出す腐食生成物Ｃを下方に滴下させて水平支柱５の絶縁劣化を防止する。防食構造１１は、図１〜図４に示すように、水切り部１１ａなどを備えている。
【００２６】
水切り部１１ａは、架線支持装置３の表面を流れる腐食生成物Ｃをこの架線支持装置３の表面から下方に導く部分である。水切り部１１ａは、保護カバー６の表面にこの保護カバー６と一体に形成されている。水切り部１１ａは、保護カバー６の両端部の全周に凸状に形成されており、図４に示すように断面形状が略Ｕ字状の湾曲面である。水切り部１１ａは、水平支柱５の表面を流れる腐食生成物Ｃを湾曲面に沿って下方に誘導して、この水平支柱５から下方に滴下させる。水切り部１１ａは、例えば、溶融押出機のダイから押し出されたシート状の溶融フッ素樹脂を冷却する前に、この水切り部１１ａと同一形状の凹部と凸部とを有する一対の成形ローラ間にこのシート状の溶融フッ素樹脂を通過させて、このシート状の溶融フッ素樹脂の両縁部に形成される。
【００２７】
次に、この発明の第１実施形態に係る架線支持装置の防食構造を備える保護カバーの取付方法を説明する。
図４に示すように、水平支柱５の外径と略同じ長さにシート状の保護カバー６を切断して、保護カバー６の水切り部１１ａが外側になるようにこの水平支柱５の外周面にこの保護カバー６を巻き付ける。次に、図２及び図３に示すように、保護カバー６の一方の端部の水切り部１１ａと他方の端部の水切り部１１ａとの間に、この保護カバー６を挟み込むように架線金具９の挟持片９ａ，９ｂを取り付ける。最後に、図２に示す架線金具９の挿入孔９ｃ，９ｄに連結部材１０の締結ボルト１０ａを挿入し、ナット１０ｂ，１０ｃ及び座金１０ｅをこの締結ボルト１０ａに装着するとともに、この締結ボルト１０ａに割りピン１０ｄを装着し、架線金具９が保護カバー６に取り付けられる。
【００２８】
例えば、図１に示すがいし７に対して水平支柱５を微調整するときには、図２に示す架線金具９の締結ボルト１０ａとナット１０ｂ，１０ｃとの締め付けを僅かに緩めて、図１に示す水平支柱５の端部をハンマーなどで叩き、水平支柱５を僅かに水平移動させる。このとき、図３に示すように、架線金具９の挟持片９ａ，９ｂと水平支柱５との間には保護カバー６が挟み込まれており、保護カバー６の内周面と水平支柱５の外周面との間の摩擦抵抗が緩和されるとともに、保護カバー６の外周面と挟持片９ａ，９ｂの内面との間の摩擦抵抗も緩和される。このため、挟持片９ａ，９ｂに対して水平支柱５が滑りやすくなり、がいし７に対して水平支柱５が容易に水平移動するとともに、水平支柱５及び挟持片９ａ，９ｂの表面が傷つくのを保護カバー６が防ぐ。水平支柱５の位置を微調整した後には、図２に示す架線金具９の連結部材１０を締め付けて架線金具９を保護カバー６に固定する。
【００２９】
次に、この発明の第１実施形態に係る架線支持装置の防食構造の作用を説明する。
例えば、図１〜図４に示す保護カバー６の両端部に水切り部１１ａが存在しない場合には、雨水やトンネル漏水が架線金具９に滴下すると、この架線金具９の表面に生成される腐食生成物Ｃがこの雨水やトンネル漏水によって保護カバー６に流れ出す。このため、腐食生成物Ｃが架線金具９から保護カバー６を通じて水平支柱５に流れ出し、水平支柱５の電気絶縁性が低下する。その結果、例えば、図１に示す左右の架線金具９と水平支柱５とによって導電回路が形成されて、水平支柱５の電気絶縁性が低下する。一方、図１〜図４に示す保護カバー６の両端部に水切り部１１ａが存在する場合には、図３に示すように保護カバー６から流れ出す腐食生成物Ｃが水切り部１１ａによって架線支持装置３の下方に導かれる。その結果、腐食生成物Ｃが水切り部１１ａから下方に滴下し、保護カバー６から水平支柱５に腐食生成物Ｃが流れ出すのを水切り部１１ａが阻止する。
【００３０】
この発明の第１実施形態に係る架線支持装置の防食構造には、以下に記載するような効果がある。
(1) この第１実施形態では、架線支持装置３の表面を流れる腐食生成物Ｃをこの架線支持装置３の表面から下方に水切り部１１ａが導く。このため、例えば、雨水やトンネル漏水などによって流れ出した腐食生成物Ｃが水平支柱５に付着し、この水平支柱５が腐食するのを防止することができる。また、例えば、水平支柱５などの絶縁物に腐食生成物Ｃが付着して、この絶縁物の絶縁抵抗が低下するのを防ぐことができる。その結果、架線支持装置３の絶縁劣化を防止することができるとともにメンテナンスコストを削減することができる。
【００３１】
(2) この第１実施形態では、架線支持装置３の水平支柱５に取り付けられる架線金具９とこの水平支柱５との間に装着されて、この水平支柱５の表面を保護する保護カバー６を架線支持装置３が備えており、この保護カバー６の表面に水切り部１１ａが形成されている。このため、腐食生成物Ｃを水切り部１１ａによって下方に滴下させて、保護カバー６から水平支柱５に腐食生成物Ｃが流れ出すのを水切り部１１ａによって阻止することができる。
【００３２】
(3) この第１実施形態では、保護カバー６が水平支柱５の表面に巻き付けられて装着される。このため、保護カバー６を任意の長さに切断して水平支柱５に巻き付けるだけで、この保護カバー６をこの水平支柱５に簡単に装着することができるとともに、水平支柱５に腐食生成物Ｃが流れ出すのを水切り部１１ａによって容易に防ぐことができる。
【００３３】
(4) この第１実施形態では、保護カバー６がフッ素樹脂製である。このため、水平支柱５の外周面と保護カバー６の内周面との間の摩擦抵抗と、保護カバー６の外周面と架線金具９の内面との間の摩擦抵抗とを低減させて、水平支柱５を長さ方向に簡単に移動させてこの水平支柱５の位置を容易に微調整することができる。
【００３４】
(5) この第１実施形態では、保護カバー６の両端部の全周に凸状に水切り部１１ａが形成されている。このため、簡単な構造の水切り部１１ａによって水平支柱５の腐食を防止し、この水平支柱５の絶縁劣化を防止することができる。また、保護カバー６の外周面に水切り部１１ａを簡単に形成することができるため、低コスト化を図ることができる。
【００３５】
（第２実施形態）
以下では、図１〜図４に示す部分と同一の部分については、同一の番号を付して詳細な説明を省略する。
図５に示す保護カバー６は、図１〜図４に示す保護カバー６と外観が同一形状のフッ素樹脂製の筒状部材である。図５に示す保護カバー６は、図１〜図４に示す保護カバー６のような水平支柱５の表面に巻き付けて装着される構造とは異なり、水平支柱５の表面と嵌合して装着される。保護カバー６は、水平支柱５と架線金具９との間に挿入されて装着されたときに、架線金具９の両端部よりも2〜3mm程度突出するように所定の長さに形成されている。図５に示す水切り部１１ａは、例えば、フッ素樹脂を充填したゴム型を高圧容器内に浸漬し、この高圧容器内の液体を媒体として加圧成形した後にゴム型からフッ素樹脂成型品を取り出すアイソスタティック成形によって、保護カバー６と一体に形成される。
【００３６】
次に、この発明の第２実施形態に係る架線支持装置の防食構造を備える保護カバーの取付方法を説明する。
図５に示すように、水平支柱５の外周面と保護カバー６の内周面とが密着するように、水平支柱５に保護カバー６を嵌め込み、図２に示すように保護カバー６の両端部の水切り部１１ａ間に架線金具９の挟持片９ａ，９ｂを取り付ける。次に、架線金具９の挟持片９ａ，９ｂを連結部材１０によって締め付けて、架線金具９が保護カバー６に取り付けられる。例えば、図１に示すがいし７に対して水平支柱５を微調整するときには、架線金具９の連結部材１０を僅かに緩めて、水平支柱５の端部をハンマーなどで叩き水平支柱５を僅かに水平移動させる。水平支柱５の位置を微調整した後には、架線金具９の連結部材１０を締め付けて架線金具９を保護カバー６に固定する。
【００３７】
この発明の第２実施形態に係る架線支持装置の防食構造には、第１実施形態の効果に加えて、以下に記載するような効果がある。
この第２実施形態では、保護カバー６が水平支柱５の表面と嵌合して装着される。このため、水平支柱５の外周面に保護カバー６の内周面を嵌め込むだけで、この水平支柱５にこの保護カバー６を簡単に装着することができるとともに、水平支柱５に腐食生成物Ｃが流れ出すのを水切り部１１ａによって容易に防ぐことができる。
【００３８】
（第３実施形態）
図６に示す保護カバー６は、図１〜図５に示す保護カバー６と同様に、水平支柱５に巻き付け又は嵌合して装着される。図６に示す水切り部１１ａは、図１〜図５に示す水切り部１１ａとは断面形状が異なり、保護カバー６の両端部の全周に凹状に形成されており、断面形状が略Ｕ字状の湾曲面である。
【００３９】
次に、この発明の第４実施形態に係る架線支持装置の防食構造を備える保護カバーの取付方法を説明する。
図６に示すように、水平支柱５の外周面と架線金具９の挟持片９ａ，９ｂの内面との間に僅かに隙間が形成されるように、図２に示す架線金具９の挟持片９ａ，９ｂを連結部材１０によって仮締めして、架線金具９が水平支柱５に取り付けられる。次に、図１に示す水平支柱５の端部から保護カバー６を嵌め込み、図６に示す水平支柱５の外周面と挟持片９ａ，９ｂの内面との間の間隙部から保護カバー６を挿入する。図３に示す保護カバー６の外周部には凸状の水切り部１１ａが形成されている。このため、水平支柱５の外周面と挟持片９ａ，９ｂの内面との間の間隙部から保護カバー６を挿入しようとすると、凸状の水切り部１１ａが挟持片９ａ，９ｂの端部と干渉して、水平支柱５の外周面と挟持片９ａ，９ｂの内面との間の間隙部から保護カバー６を挿入することができない。一方、図６に示す保護カバー６の外周面には凹状の水切り部１１ａが形成されているため、水切り部１１ａが挟持片９ａ，９ｂの端部と干渉することがなく、水平支柱５の外周面と挟持片９ａ，９ｂの内面との間の間隙部から保護カバー６が容易に挿入される。次に、図２に示す架線金具９の挟持片９ａ，９ｂを連結部材１０によって本締めして、架線金具９が保護カバー６に取り付けられる。
【００４０】
この発明の第３実施形態に係る架線支持装置の防食構造には、第１実施形態及び第２実施形態の効果に加えて、以下に記載するような効果がある。
この第３実施形態では、水切り部１１ａが保護カバー６の両端部の全周に凹状に形成されている。このため、架線金具９の挟持片９ａ，９ｂを連結部材１０によって僅かに緩めて、水平支柱５の外周面と架線金具９の挟持片９ａ，９ｂの内面との間に僅かに隙間を形成させた状態で、この間隙部から保護カバー６が容易に挿入することができる。その結果、保護カバー６の装着作業や架線金具９の締結作業を短時間で実施することができ、作業負担を軽減することができる。
【００４１】
（第４実施形態）
図７に示す保護カバー６は、図１〜図６に示す保護カバー６と同様に、水平支柱５に巻き付け又は嵌合して装着される。図７に示す水切り部１１ａは、図１〜図６に示す水切り部１１ａとは異なり、図７に示すように保護カバー６の両端部の全周に凸状及び凹状に形成されており、断面形状が略Ｕ字状の湾曲面である。水切り部１１ａは、図７に示すように、凸状部分が保護カバー６の両端部に形成されており、凹状部分がこの凸状部分と連続してこの凸状部分よりも内側に形成されている。この第４実施形態には、第１実施形態及び第２実施形態と同様の効果がある。
【００４２】
（第５実施形態）
図８に示す保護カバー６は、図１〜図７に示す保護カバー６と同様に、水平支柱５に巻き付け又は嵌合して装着される。図８（Ａ）に示す水切り部１１ａは、保護カバー６の両端部の全周に頂部が鋭角な凸状に形成されており、断面形状が略Ｖ字状の平坦な傾斜面である。図８（Ｂ）に示す水切り部１１ａは、保護カバー６の両端部の全周に谷部が鋭角な凹状に形成されており、断面形状が略Ｖ字状の平坦な傾斜面である。図８（Ｃ）に示す水切り部１１ａは、保護カバー６の両端部の全周に頂部が鋭角な凸状及び谷部が鋭角な凸状に形成されており、断面形状が略Ｖ字状の平坦な傾斜面である。図８（Ｃ）に示す水切り部１１ａは、凸状部分が保護カバー６の両端部に形成されており、凹状部分がこの凸状部分と連続してこの凸状部分よりも内側に形成されている。この第５実施形態には、第１実施形態〜第４実施形態と同様の効果がある。
【００４３】
（第６実施形態）
図９に示す保護カバー６は、図１〜図８に示す保護カバー６と同様に、水平支柱５に巻き付け又は嵌合して装着される。図９に示す水切り部１１ａは、保護カバー６の両端部の全周に凸状に形成されており、断面形状が略Ｕ字状の湾曲面である。水切り部１１ａは、水平支柱５の外周面と架線金具９の挟持片９ａ，９ｂの内面との間の間隙部に保護カバー６を挿入可能なように、凸状部分が弾性変形可能である。水切り部１１ａは、図９（Ａ）に示すように、架線金具９の挟持片９ａ，９ｂの側面と接触すると弾性変形して圧縮する。水切り部１１ａは、図９（Ｂ）に示すように、水平支柱５の外周面と架線金具９の挟持片９ａ，９ｂの内面との間で挟み込まれているときには、圧縮した状態を維持しつつこれらの間の間隙部を通過する。水切り部１１ａは、図９（Ｃ）に示すように、水平支柱５の外周面と架線金具９の挟持片９ａ，９ｂの内面との間の間隙部から抜け出すと弾性変形して伸長して元の形状に復元する。図９に示す水切り部１１ａは、水平支柱５の外周面と架線金具９の挟持片９ａ，９ｂの内面との間の間隙部に保護カバー６を容易に挿入可能なように、図１〜図８に示す水切り部１１ａとは異なり、湾曲面の傾斜角度が小さく形成されている。この第６実施形態には、第１実施形態と同様の効果がある。
【００４４】
（他の実施形態）
この発明は、以上説明した実施形態に限定するものではなく、以下に記載するように種々の変形又は変更が可能であり、これらもこの発明の範囲内である。
(1) この実施形態では、電車線設備などの電路設備で使用される架線支持装置３に防食構造１１を適用する場合を例に挙げて説明したが、電路設備以外の電力用又は電信用の架線支持装置に防食構造１１を適用することもできる。また、この実施形態では、トンネル区間で使用される架線支持装置３に防食構造１１を適用する場合を例に挙げて説明したが、トンネル区間以外の明かり区間で使用される架線支持装置３に防食構造１１を適用することもできる。例えば、高架橋の下で使用される架線支持装置に防食構造１１を適用することもできる。さらに、この実施形態では、水平支柱５と架線金具９との間に装着される保護カバー６に防食構造１１を適用する場合を例に挙げて説明したが、これらの間に装着される保護カバー６に限定するものではない。例えば、架線２を長さ方向に移動自在に支持する架線支持装置の可動ブラケットにおいて、曲線引金具４を支持する振止金具と、この振止金具を支持するドロッパとの間に装着される保護カバーに防食構造１１を適用することもできる。
【００４５】
(2) この実施形態では、この実施形態では、架線金具９がパイプバンドである場合を例に挙げて説明したが、トロリ線２ａを把持するイヤー、ちょう架線又は補助ちょう架線を把持するクリップ、可動ブラケットの振止パイプ部、振止装置又は曲線引装置などのアーム部などについてもこの発明を適用することができる。また、この実施形態では、取付対象物が水平支柱５である場合を例に挙げて説明したが、垂直支柱又は傾斜支柱などについてもこの発明を適用することができる。さらに、この実施形態では、架線金具９から水平支柱５に向かって腐食生成物Ｃが流出するのを水切り部１１ａによって阻止する場合を例に挙げて説明したが、水平支柱５から架線金具９に向かって腐食生成物Ｃが流出するのを水切り部１１ａによって阻止することもできる。
【００４６】
(3) この第１実施形態及び第３実施形態〜第６実施形態では、保護カバー６の両端部に凸状の水切り部１１ａを形成する場合を例に挙げて説明したが、一方の端部の水切り部１１ａの高さを他方の水切り部１１ａの高さよりも低くすることもできる。この場合には、水平支柱５の外周面と架線金具９の挟持片９ａ，９ｂの内面との間の間隙部に、高さの低い水切り部１１ａ側から保護カバー６を比較的容易に挿入することができる。また、この第４実施形態及び第５実施形態では、保護カバー６の両端部に凸状部分を配置し、この凸状部分の内側に凹状部分を配置する場合を例に挙げて説明したが、保護カバー６の両端部に凹状部分を配置し、この凹状部分の内側に凸状部分を配置することもできる。
【符号の説明】
【００４７】
１  トンネル
１ａ  アーチ部
２  架線
２ａ  トロリ線
２ｂ  ちょう架線
２ｃ  き電線
３  支持装置
４  曲線引金具
５  水平支柱
６  保護カバー
７  がいし
７ａ  本体部
７ｂ，７ｃ  金具部
７ｄ  ベース金具部
８Ａ，８Ｂ  支持金具
９  架線金具
９ａ，９ｂ  挟持片
９ｃ，９ｄ  挿入孔
１０  連結部材
１０ａ  締結ボルト
１０ｂ，１０ｃ  ナット
１０ｄ  割りピン
１０ｅ  座金
１１  防食構造
１１ａ  水切り部
【図１】
2014189210.tif 000003
【図２】
2014189210.tif 000004
【図３】
2014189210.tif 000005
【図４】
2014189210.tif 000006
【図５】
2014189210.tif 000007
【図６】
2014189210.tif 000008
【図７】
2014189210.tif 000009
【図８】
2014189210.tif 000010
【図９】
2014189210.tif 000011
【図１０】
2014189210.tif 000012
【図１１】
2014189210.tif 000013